(57)【特許請求の範囲】
【請求項１】
複数系統の入力音声信号を選択的に加算して複数系統から出力する音声信号切換え装置において、
所定の全ての入力系統のうち、固定的に選択された第１の入力系統の音声信号および第１の所定の選択パターンに基づいて動的に選択される入力系統の音声信号を加算して出力する第１の出力系統と、
前記所定の全ての入力系統のうち、固定的に選択された第２の入力系統の音声信号および第２の所定の選択パターンに基づいて動的に選択される入力系統の音声信号を加算して出力する第２の出力系統と、
前記所定の全ての入力系統のうち、手操作により動的に選択される入力系統の音声信号を加算して出力する第３の出力系統と、
前記第１および第２の所定の選択パターンを制御するパターンスイッチ回路と、
を具備したことを特徴とする音声信号切換え装置。
【請求項２】
前記第１または第２の所定の選択パターンに基づいて選択された入力系統の音声信号をミキシングアンプで加算するプリミキシング機構を具備したことを特徴とする請求項１記載の音声信号切換え装置。
【請求項３】
前記パターンスイッチ回路からの指示に基づき、前記第１または第２の出力系統への出力を選択するスイッチを具備したことを特徴とする請求項２記載の音声信号切換え装置。
【請求項４】
前記パターンスイッチ回路は、外部回路からの指示により動作することを特徴とする請求項１乃至請求項３のいずれか１項記載の音声信号切換え装置。
【発明の詳細な説明】
【０００１】
【発明の属する技術分野】
本発明は、音声信号の複数の入力系統を選択的に加算して複数の出力系統として出力する音声信号切換え装置に関する。
【０００２】
【従来の技術】
従来、音声信号切換え装置では、目的や内容の異なる複数の音声（例えば、肉声等のアナウンスと、音楽等のコンテンツ）に対応する音声信号の複数の入力系統（入力チャンネル）を所定の選択方法で選択して加算したものを複数の出力系統（出力チャンネル）としている。この加算される出力系統の選択方法は、従来から様々な回路方式により実現されている。
【０００３】
図３は、従来の音声信号切換え装置の回路構成を示す回路図である。図３に示す音声信号切換え装置は、フルアサインミキサを構成し、全ての入力系統の音声信号を、全ての出力系統に加算することができる。従って、音声信号のミキシング処理に関するどのようなシステム要求にも応ずることができる。
【０００４】
具体的には、図３において、各入力系統（入力９１１，９１２，９１３，９１４）とＢＵＳ９１，９２，９３の間に介在するスイッチ群の動作により、ＢＵＳ９１上では、これらの入力系統の音声信号が任意に選択されて加算され、出力９２１（出力系統）として取り出される。同様にして、ＢＵＳ９２上でも、前述の入力系統の音声信号が任意に選択されて加算され、出力９２２（出力系統）として取り出される。さらにＢＵＳ９３上でも、前述の入力系統の音声信号が任意に選択されて加算され、出力９２３（出力系統）として取り出される。
【０００５】
図４は、従来の音声信号切換え装置を示す回路図である。図４に示す音声信号切換え装置は系統固定ミキサを構成し、用途を限定したミキサとして使用されている。この系統固定ミキサでは、入力系統の音声信号は固定された方法で選択されて加算される。従って、前述のフルアサインミキサのような多様なシステム要求には応じることができない。しかし、固定的なシステムでは、スイッチを選択するといった操作が不要であり、システム構成が容易に行えるというメリットがある。
【０００６】
具体的には、図４において、ＢＵＳ９１上では、入力９１１，９１３，９１４（入力９１２はカット）のみが常に選択されて加算され、出力９３１として取り出される。また、ＢＵＳ９２上では、入力９１２のみが常に選択されて加算され、出力９３２として取り出される。さらにＢＵＳ９３上では、入力９１１，９１２，９１３，９１４（全入力系統）が常に選択されて加算され、出力９３３として取り出される。
【０００７】
図５は、従来の音声信号切換え装置を示す回路図である。図５に示す音声信号切換え装置は、図３に示すフルアサインミキサを構成する音声信号切換え装置と配線は同じであるが、各入力系統（入力９１１，９１２，９１３，９１４）とＢＵＳ９１，９２，９３の間に介在するスイッチ群のスイッチパターン（ＯＮ／ＯＦＦ状態の組合せ）が、パターンセレクタ９５１に記憶されたものの中から選択されるスイッチパターンとなるようにＣＰＵ９５２を介して制御される点が異なっている。
【０００８】
図５に示す音声信号切換え装置は、図３に示すフルアサインミキサを構成する音声信号切換え装置における前述のスイッチ群をＣＰＵ９５２によって制御可能なものとし、このスイッチ群のスイッチパターンを、実際の使用状況に対応した幾つかのスイッチパターンとなるように制御するものである。
【０００９】
【発明が解決しようとする課題】
しかし、前述の従来の音声信号切換え装置は、部品コストの面か、または使用上の利便性の面かのいずれかにおいて次のような問題がある。
【００１０】
図３に示すフルアサインミキサを構成する音声信号切換え装置の場合は、入力系統の数と出力系統の数とを乗算した結果（積）だけの接点（具体的には１２個のスイッチ）が必要となり、コスト面での問題点を有している。また、システム構成上の自由度が高い反面、ユーザの操作によって全てのスイッチを設定し、ユーザが希望するシステムを形成する必要があるので、操作性が悪く、システム設定上の誤りが生じ易いといった問題がある。
【００１１】
図４に示す系統固定ミキサを構成する音声信号切換え装置の場合は、入力系統から出力系統への音声信号の配分が固定されているので、ユーザが望むシステムをユーザによって形成することができず、利便性、システム柔軟性に欠けるといった問題がある。
【００１２】
図５に示すパターンセレクタ付きの音声信号切換え装置の場合は、ユーザが希望するシステムを形成するに際して、パターン化されたシステム構成を利用できるといった利便があり、操作性に優れ、かつシステム設定上の誤りも生じ難いといった利点があるが、反面、パターンセレクタ９５１やＣＰＵ９５２を必要とするので、図３に示す音声信号切換え装置よりも一層、コスト面で不利となるといった問題がある。
【００１３】
本発明は、上述した事情に鑑みてなされたもので、入力系統から出力系統への音声信号の配分を簡単な操作で切換えることが可能であり、かつコストの低い音声信号切換え装置を提供することを目的としている。
【００１４】
【課題を解決するための手段】
本発明に係る音声信号加算装置は、上述した目的を達成するために、複数系統の入力音声信号を選択的に加算して複数系統から出力する音声信号切換え装置において、所定の全ての入力系統のうち、固定的に選択された第１の入力系統の音声信号および第１の所定の選択パターンに基づいて動的に選択される入力系統の音声信号を加算して出力する第１の出力系統と、前記所定の全ての入力系統のうち、固定的に選択された第２の入力系統の音声信号および第２の所定の選択パターンに基づいて動的に選択される入力系統の音声信号を加算して出力する第２の出力系統と、前記所定の全ての入力系統のうち、手操作により動的に選択される入力系統の音声信号を加算して出力する第３の出力系統と、前記第１および第２の所定の選択パターンを制御するパターンスイッチ回路と、を具備したことを特徴とする。
【００１５】
これにより、従来の音声信号切換え装置に比べて使用するスイッチの総数を節約すると共に、他用途のシステムの形成を可能にし、また、高価なＣＰＵとパターンセレクタの使用に代えて予め設定されている所定の選択パターンに基づくスイッチ群を制御してコストの低い音声信号切換え装置を実現している。
【００１６】
また、追加的に設定された入力系統の音声信号のうち、手操作で動的に選択される入力系統の音声信号を、前記第１乃至第３の出力系統にそれぞれ加算する手段を具備したことを特徴とする。これにより、さらに多用途のシステム形成に応じることができる音声信号切換え装置を実現している。
【００１７】
また、前記第１と第２の所定の選択パターンを付与するパターンスイッチを具備したことを特徴とする。これにより、操作上の利便性を向上させると共に、システムの誤形成も生じ難い音声信号切換え装置を実現している。
【００１８】
また、前記第１または第２の所定の選択パターンに基づいて選択された入力系統の音声信号をミキシングアンプで加算するプリミキシング機構を具備したことを特徴とする。これにより、必要部品であるスイッチの個数をさらに節約し、さらにコストの低い音声信号切換え装置を実現している。
【００１９】
また、前記パターンスイッチ回路からの指示に基づき、前記第１または第２の出力系統への出力を選択するスイッチを具備したことを特徴とする。これにより、プリミキシング機構を追加した際の操作性の利便性を向上させることができる。
【００２０】
また、前記パターンスイッチ回路は、外部回路からの指示にっても動作することを特徴とする。これにより、操作上の利便性を向上させると共に、システム形成のタイミング制御を可能にした音声信号切換え装置を実現している。
【００２１】
【発明の実施の形態】
以下、図面を参照して本発明の音声信号切換え装置を説明する。
図１は、本発明の実施の形態に係る音声信号切換え装置を示す回路図である。図１に示す音声信号切換え装置は、音声信号を加算するためのベース配線をなすＢＵＳ１、ＢＵＳ２、ＢＵＳ３と、ＢＵＳ１に供給される入力１１をＢＵＳ２にも供給するためのスイッチＳＷ１と、同じく入力１１をＢＵＳ３にも供給するためのスイッチＳＷ１１と、ＢＵＳ２に供給される入力１２をＢＵＳ１にも供給するためのスイッチＳＷ２と、同じく入力１２をＢＵＳ３にも供給するためのスイッチＳＷ１２と、入力１３をＢＵＳ１にも供給するためのスイッチＳＷ３１と、同じく入力１３をＢＵＳ２にも供給するためのスイッチＳＷ３と、同じく入力１３をＢＵＳ３にも供給するためのスイッチＳＷ１３と、入力１５をＢＵＳ３に供給するためのスイッチＳＷ１５と、同じく入力１５をＢＵＳ１にも供給するためのスイッチＳＷ１５１と、同じく入力１５をＢＵＳ２にも供給するためのスイッチＳＷ１５２と、スイッチＳＷ１〜ＳＷ３のＯＮ／ＯＦＦ状態のパターンを制御し、かつスイッチＳＷ３１，ＳＷ３２のＯＮ／ＯＦＦ状態のパターンを制御するパターンスイッチ５（パターンスイッチ回路）とを具備する。なお、入力１５（フルアサイン系統）に関連する要素は任意に設けることができる。
【００２２】
以下、図１に示す音声信号切換え装置の機能を説明する。入力１１、入力１２、入力１３、及び入力１５の各音声信号は、ＢＵＳ１上で加算され（但し、スイッチＳＷ１５１、ＳＷ２、ＳＷ３がＯＮの場合）、出力２１として取り出される。また、入力１１、入力１２、入力１３、入力１５の各音声信号は、ＢＵＳ２上で加算され（但し、スイッチＳＷ１，ＳＷ３，ＳＷ１５２がＯＮの場合）、出力２２として取り出される。さらに、入力１１、入力１２、入力１３、入力１５の各音声信号は、ＢＵＳ３上で加算される（但し、スイッチＳＷ１１〜ＳＷ１５がＯＮの場合）。ＢＵＳ３は、フルアサイン系統の加算を行うためのバスである。
【００２３】
入力１１は、常にＢＵＳ１に供給されるが、スイッチＳＷ１がＯＮの場合は、ＢＵＳ２にも供給される。また、スイッチＳＷ１１がＯＮの場合は、フルアサイン系統のＢＵＳ３にも供給される。入力１２は、常にＢＵＳ２に供給されるが、スイッチＳＷ２がＯＮの場合は、ＢＵＳ１にも供給される。また、スイッチＳＷ１２がＯＮの場合は、フルアサイン系統のＢＵＳ３にも供給される。入力１３は、スイッチＳＷ３１がＯＮの場合は、ＢＵＳ１にも供給される。また、スイッチＳＷ３がＯＮの場合は、ＢＵＳ２にも供給される。さらに、スイッチＳＷ１３がＯＮの場合は、フルアサイン系統のＢＵＳ３にも供給される。フルアサイン系統の入力１５は、スイッチＳＷ１５１，ＳＷ１５２，ＳＷ１５がＯＮの場合に、それぞれＢＵＳ１，ＢＵＳ２，ＢＵＳ３に供給される。
【００２４】
ＢＵＳ１，ＢＵＳ２，ＢＵＳ３からは、それぞれ、出力２１，出力２２，出力２３の音声信号が取り出される。
【００２５】
パターンスイッチ５は、スイッチＳＷ１〜ＳＷ４のＯＮ／ＯＦＦ状態のパターンを記憶し、この記憶に従ってスイッチＳＷ１〜ＳＷ４のＯＮ／ＯＦＦ状態を制御する。また、パターンスイッチ５は、スイッチＳＷ３１のＯＮ／ＯＦＦ状態のパターンをも記憶しており、この記憶に従ってスイッチＳＷ３１のＯＮ／ＯＦＦ状態を制御する。なお、これらの制御は、外部回路からの制御信号に基づいても行われるものとする。
【００２６】
フルアサイン系統のスイッチＳＷ１１〜ＳＷ１３、ＳＷ１５、及びＳＷ１５１〜ＳＷ１５２は、操作者により手動で操作され、入力１１、入力１２、入力１３、入力１５を動的に選択してＢＵＳ３に加算すると共に、入力１５を、ＢＵＳ１（出力２１）、ＢＵＳ２（出力２２）、ＢＵＳ３（出力２３）に、（それぞれ動的に選択して）加算する。
【００２７】
前述のＢＵＳ１から取り出される出力２１は、所定の全ての入力系統（ここでは、入力１１、入力１２、入力１３）のうち、固定的に選択された（すなわち、スイッチを介入させず直付けで配分された）入力系統（ここでは、入力１１）と、スイッチＳＷ２、ＳＷ３１の状態で動的に選択される入力系統（ここでは、入力１２、入力１３）の音声信号を加算して出力するものであり、本発明の第１の出力系統に相当する。
【００２８】
また、前述のＢＵＳ２から取り出される出力２２は、前記所定の全ての入力系統のうち、固定的に選択された入力系統（ここでは、入力１２）とスイッチＳＷ１、ＳＷ３の状態（第１の所定の選択パターンに基づく状態）で動的に選択される入力系統（ここでは（入力１１、入力１３）の音声信号を加算して出力するものであり、本発明の第２の出力系統に相当する。
【００２９】
さらに、前述のＢＵＳ３上の音声信号は、前記所定の全ての入力系統、及び追加的な入力系統（ここでは入力５）のうち、スイッチＳＷ１１〜ＳＷ１３、及び追加的なスイッチＳＷ１５の手操作により動的に選択される入力系統の音声信号が加算されたものであり、このＢＵＳ３は、本発明の第３の出力系統を構成する手段に相当する。
【００３０】
図３，５に示した従来の音声信号切換え装置では１２個のスイッチが使用されていたが、図１に示す本発明の音声信号切換え装置では、使用されているスイッチの個数は１０個であり、計２個のスイッチが節約されている。
【００３１】
また、図５に示す従来の音声信号切換え装置では、複雑な回路構成を持つパターンセレクタ９５１と、高価なＣＰＵ９５２を必要としていたが、図１に示す本発明の音声信号切換え装置では、回路構成が簡単なパターンスイッチ５のみを必要としているので、部品コストの低減が可能となる。
【００３２】
図２は、本発明の実施の形態に係る音声信号切換え装置で使用されるスイッチ群の他の構成を示す回路図である。入力１１，入力１３の各音声信号を、ＢＵＳ２上で加算するために、それぞれＢＵＳ３にまで伝達するか否かを決定するスイッチＳＷ１、ＳＷ３のシステムは、等価的に図２に示す回路で代用することができる。
【００３３】
図２に示す回路では、入力１１，入力１３の各音声信号は、プリミックス回路であるミキシングアンプ４２（プリミキシング機構）で加算され、スイッチＳＷ４１を介してＢＵＳ２に供給される。このスイッチＳＷ４１は、パターンスイッチ５により制御される。
【００３４】
図２に示す回路は、図１に示す回路に比べて、スイッチ類としてはスイッチＳＷ４１しか使用されないので、使用するスイッチの総数をさらに節約することを可能にしている。
【００３５】
本実施の形態に係る音声信号切換え装置では、所定の入力系統を入力１１、入力１２、入力１３、入力１５の４系統とし、出力系統を出力２１、出力２２、出力２３の３系統としたが、本発明では、一般に、音声信号切換え装置の入力系統数、及び出力系統数を任意に設定することができる。
【００３６】
以上のように、この実施の形態によれば、従来の音声信号切換え装置に比べて使用するスイッチの総数を節約することが可能となる。さらに、プリミックス回路を使用することにより、使用するスイッチの総数をさらに節約することが可能となる。また、従来の音声信号切換え装置に比べて、スイッチ群のパターン制御のための回路が簡単になり、高価なＣＰＵも使用する必要が無い。また、スイッチ群を外部回路からパターン制御することができるので、操作上の利便性が向上する。さらに、フルアサイン系統を任意に追加することで、多用途のシステム形成に応じることができる。
【００３７】
【発明の効果】
以上述べたように、本発明によれば、従来の音声信号切換え装置に比べて使用するスイッチの総数を節約すると共に、他用途のシステムの形成を可能にし、また、高価なＣＰＵとパターンセレクタの使用に代えて簡単なパターンスイッチだけで所定のパターンに基づくスイッチ群を制御してコストの低い音声信号切換え装置を提供することができる。
【図面の簡単な説明】
【図１】本発明の実施の形態に係る音声信号切換え装置を示す回路図である。
【図２】本発明の実施の形態に係る音声信号切換え装置で使用されるスイッチ群の他の構成を示す回路図である。
【図３】従来の音声信号切換え装置を示す回路図である。
【図４】従来の音声信号切換え装置を示す回路図である。
【図５】従来の音声信号切換え装置を示す回路図である。
【符号の説明】
１〜２ ＢＵＳ
３ ＢＵＳ（フルアサイン系統）
５ パターンスイッチ
１１〜１３ 入力
１５ 入力（フルアサイン系統）
２１〜２３ 出力
ＳＷ１〜ＳＷ４ スイッチ
ＳＷ３１ スイッチ
ＳＷ１１〜ＳＷ１５ スイッチ（フルアサイン系統）
ＳＷ１５１〜ＳＷ１５３ スイッチ（フルアサイン系統）
【図１】
0004071539.tif 000002
【図２】
0004071539.tif 000003
【図３】
0004071539.tif 000004
【図４】
0004071539.tif 000005
【図５】
0004071539.tif 000006